(57)【要約】【課題】患者の状態の改善につながるメッセージを送信する。【解決手段】メッセージ管理装置１は、患者が使用する患者端末２に送信するメッセージの候補である複数の指示メッセージ候補を、患者の状態種別に関連付けて記憶する記憶部１２と、患者端末２から送信される患者メッセージを受信する受信部１３１と、受信部１３１が受信した患者メッセージの内容に基づいて、患者の状態を特定する特定部１３２と、複数の指示メッセージ候補から、特定部１３２が特定した患者の状態に対応する状態種別に関連付けられた指示メッセージを選択する選択部１３３と、選択部１３３が選択した指示メッセージを端末に送信する送信部１３４と、を有する。【選択図】図２
2017187914.tif 000002
【特許請求の範囲】
【請求項１】
患者が使用する端末に送信するメッセージの候補である複数の指示メッセージ候補を、患者の状態種別に関連付けて記憶する記憶部と、
前記端末から送信される患者メッセージを受信する受信部と、
前記受信部が受信した前記患者メッセージの内容に基づいて、前記患者の状態を特定する特定部と、
前記複数の指示メッセージ候補から、前記特定部が特定した前記患者の状態に対応する前記状態種別に関連付けられた指示メッセージを選択する選択部と、
前記選択部が選択した前記指示メッセージを前記端末に送信する送信部と、
を有するメッセージ管理装置。
【請求項２】
前記選択部は、前記患者が薬を服用する必要がある場合に、前記薬を服用する必要があるという前記状態種別に関連付けられた前記指示メッセージを選択する、
請求項１に記載のメッセージ管理装置。
【請求項３】
前記特定部は、前記送信部が送信した前記指示メッセージの内容と、前記指示メッセージに対する応答として前記受信部が受信した前記患者メッセージの内容とに基づいて、前記患者の状態を特定する、
請求項１又は２に記載のメッセージ管理装置。
【請求項４】
前記記憶部は、前記受信部が受信した複数の前記患者メッセージを記憶し、
前記特定部は、前記受信部が過去に受信した前記複数の患者メッセージの変化に基づいて、前記患者の状態を特定する、
請求項３に記載のメッセージ管理装置。
【請求項５】
前記受信部が複数の前記端末から受信した複数の前記患者メッセージに基づいて、前記状態種別ごとに、前記患者の状態の改善に有効な前記指示メッセージの内容を決定する決定部をさらに有する、
請求項１から４のいずれか１項に記載のメッセージ管理装置。
【請求項６】
前記記憶部は、前記患者と、前記患者が服用している服用薬の種別とを関連付けて記憶し、
前記決定部は、前記受信部が受信した前記患者メッセージを送信した前記端末に対応する前記患者が服用している前記服用薬の種別と、前記患者メッセージとに基づいて、前記服用薬の種別ごとに、前記患者の状態の改善に有効な前記指示メッセージの内容を決定する、
請求項５に記載のメッセージ管理装置。
【請求項７】
前記選択部は、前記特定部が特定した前記患者の状態に基づいて、前記記憶部に記憶された前記複数のメッセージ候補から前記指示メッセージを選択するか、外部端末から入力された指示メッセージを選択するかを切り替える、
請求項１から６のいずれか１項に記載のメッセージ管理装置。
【請求項８】
外部装置に情報を出力する出力部をさらに有し、
前記記憶部は、前記特定部が特定した前記患者の状態を記憶し、
前記特定部は、前記記憶部が記憶する過去の複数の前記患者の状態に基づいて、前記患者の状態の変化内容を特定し、
前記出力部は、前記送信部が送信した前記指示メッセージの内容と、前記患者の状態の変化内容とを関連付けて出力する、
請求項１から７のいずれか１項に記載のメッセージ管理装置。
【請求項９】
前記記憶部は、前記患者に関連付けてキャラクター画像を記憶し、
前記送信部は、前記患者に関連付けられた前記キャラクター画像を、前記指示メッセージの内容、前記患者メッセージの内容又は前記患者の状態に応じて変化させて、前記指示メッセージとともに前記端末に送信する、
請求項１から８のいずれか１項に記載のメッセージ管理装置。
【請求項１０】
患者が使用する端末に送信するメッセージを管理する方法であって、
前記端末から患者メッセージを受信するステップと、
前記患者メッセージに基づいて、前記患者の状態を特定するステップと、
患者の状態種別に関連付けて記憶部に記憶された、患者が使用する端末に送信するメッセージの候補である複数の指示メッセージ候補から、特定した前記患者の状態に対応する前記状態種別に関連付けられた指示メッセージを選択するステップと、
選択した前記指示メッセージを前記端末に送信するステップと、
を有するメッセージ管理方法。
【発明の詳細な説明】
【技術分野】
【０００１】
本発明は、患者に送信するメッセージを管理するメッセージ管理装置及メッセージ管理方法に関する。
【背景技術】
【０００２】
ユーザの端末にメッセージを送信する装置が知られている。特許文献１には、医療検査の結果に基づいて患者の病状を評価し、評価結果に応じて患者に対して診察を促すメッセージを送信する健康管理支援装置が開示されている。
【先行技術文献】
【特許文献】
【０００３】
【特許文献１】特開２００９−２０５４５６号公報
【発明の概要】
【発明が解決しようとする課題】
【０００４】
従来の健康管理支援装置を用いることにより、医療検査の評価結果に応じたメッセージを患者に伝えることができる。しかしながら、患者の状態は常に変化しており、医療検査の評価結果が患者の状態に合致しているとは限らない。患者の状態が変化しているにもかかわらず、患者が医療検査の結果に応じたメッセージを送信すると、患者の最新の状態に適していないメッセージを送信してしまう可能性がある。精神疾患の患者に対して送信するメッセージの場合、患者の最新の状態に適していないメッセージを送信してしまうと、症状が悪化してしまうおそれがあるという問題があった。
【０００５】
そこで、本発明はこれらの点に鑑みてなされたものであり、患者の状態の改善につながるメッセージを送信することができるメッセージ管理装置を提供することを目的とする。
【課題を解決するための手段】
【０００６】
本発明の第１の態様においては、患者が使用する端末に送信するメッセージの候補である複数の指示メッセージ候補を、患者の状態種別に関連付けて記憶する記憶部と、前記端末から送信される患者メッセージを受信する受信部と、前記受信部が受信した前記患者メッセージの内容に基づいて、前記患者の状態を特定する特定部と、前記複数の指示メッセージ候補から、前記特定部が特定した前記患者の状態に対応する前記状態種別に関連付けられた指示メッセージを選択する選択部と、前記選択部が選択した前記指示メッセージを前記端末に送信する送信部と、を有するメッセージ管理装置を提供する。
【０００７】
前記選択部は、例えば、前記患者が薬を服用する必要がある場合に、前記薬を服用する必要があるという前記状態種別に関連付けられた前記指示メッセージを選択する。
【０００８】
前記特定部は、例えば、前記送信部が送信した前記指示メッセージの内容と、前記指示メッセージに対する応答として前記受信部が受信した前記患者メッセージの内容とに基づいて、前記患者の状態を特定する。
【０００９】
前記記憶部は、前記受信部が受信した複数の前記患者メッセージを記憶し、前記特定部は、前記受信部が過去に受信した前記複数の患者メッセージの変化に基づいて、前記患者の状態を特定してもよい。
【００１０】
メッセージ管理装置は、前記受信部が複数の前記端末から受信した複数の前記患者メッセージに基づいて、前記状態種別ごとに、前記患者の状態の改善に有効な前記指示メッセージの内容を決定する決定部をさらに有してもよい。
【００１１】
前記記憶部は、前記患者と、前記患者が服用している服用薬の種別とを関連付けて記憶し、前記決定部は、前記受信部が受信した前記患者メッセージを送信した前記端末に対応する前記患者が服用している前記服用薬の種別と、前記患者メッセージとに基づいて、前記服用薬の種別ごとに、前記患者の状態の改善に有効な前記指示メッセージの内容を決定してもよい。
【００１２】
前記選択部は、前記特定部が特定した前記患者の状態に基づいて、前記記憶部に記憶された前記複数のメッセージ候補から前記指示メッセージを選択するか、外部端末から入力された指示メッセージを選択するかを切り替えてもよい。
【００１３】
メッセージ管理装置は、外部装置に情報を出力する出力部をさらに有し、前記記憶部は、前記特定部が特定した前記患者の状態を記憶し、前記特定部は、前記記憶部が記憶する過去の複数の前記患者の状態に基づいて、前記患者の状態の変化内容を特定し、前記出力部は、前記送信部が送信した前記指示メッセージの内容と、前記患者の状態の変化内容とを関連付けて出力してもよい。
【００１４】
前記記憶部は、前記患者に関連付けてキャラクター画像を記憶し、前記送信部は、前記患者に関連付けられた前記キャラクター画像を、前記指示メッセージの内容、前記患者メッセージの内容又は前記患者の状態に応じて変化させて、前記指示メッセージとともに前記端末に送信してもよい。
【００１５】
本発明の第２の態様においては、患者が使用する端末に送信するメッセージを管理する方法であって、前記端末から患者メッセージを受信するステップと、前記患者メッセージに基づいて、前記患者の状態を特定するステップと、患者の状態種別に関連付けて記憶部に記憶された、患者が使用する端末に送信するメッセージの候補である複数の指示メッセージ候補から、特定した前記患者の状態に対応する前記状態種別に関連付けられた指示メッセージを選択するステップと、選択した前記指示メッセージを前記端末に送信するステップと、を有するメッセージ管理方法を提供する。
【発明の効果】
【００１６】
本発明によれば、患者の状態の改善につながるメッセージを送信することができるという効果を奏する。
【図面の簡単な説明】
【００１７】
【図１】メッセージ管理システムＳの構成を示す図である。
【図２】メッセージ管理装置１の構成を示す図である。
【図３】メッセージＤＢ１２１の一例を示す図である。
【図４】キャラクターＤＢ１２２の一例を示す図である。
【図５】患者ＤＢ１２３の一例を示す図である。
【図６】患者端末２に表示される指示メッセージと患者メッセージのやり取りの様子を示す図である。
【図７】指示メッセージと患者メッセージの送受信動作のシーケンス図である。
【図８】メッセージ管理装置１が指示メッセージを送信する動作のフローチャートである。
【図９】変形例２における指示メッセージと患者メッセージの表示例を示す図である。
【発明を実施するための形態】
【００１８】
図１は、本実施形態のメッセージ管理システムＳの構成を示す図である。メッセージ管理システムＳは、精神疾患の患者やメンタルケアが必要な人（以下、患者という）の状態に応じた内容の指示メッセージを送信することにより、患者のメンタル状態を改善するためのシステムである。指示メッセージは、例えば、患者のリハビリテーションとして有効な助言や課題を含むメッセージである。課題は、患者の治療や患者の状態を把握することを目的として患者に行わせる何らかの行為の内容を示す主題である。
【００１９】
メッセージ管理システムＳにおいては、指示メッセージに対して患者が返信する患者メッセージの内容を分析することにより、患者の状態を特定することができる。メッセージ管理システムＳは、患者の状態に応じた指示メッセージを送信することにより、患者のメンタル状態を効果的に改善することができる。
【００２０】
図１に示すように、メッセージ管理システムＳは、メッセージ管理装置１と、患者端末２とを含んでいる。メッセージ管理装置１と患者端末２とは、インターネット等のネットワークを介して互いに通信可能である。
【００２１】
メッセージ管理装置１は、患者の状態に適した指示メッセージを患者端末２に送信し、指示メッセージに対する応答である患者メッセージを患者端末２から受信するサーバである。メッセージ管理装置１は、患者端末２から受信した患者メッセージに基づいて患者の状態を特定し、予め記憶している複数の指示メッセージ候補から、患者の状態に適した指示メッセージを選択し、選択した指示メッセージを患者端末２に送信する。
【００２２】
患者端末２は、スマートフォン、タブレット、コンピュータ等の情報機器であり、メッセージ管理装置１から受信した指示メッセージを表示する。患者端末２は、表示した指示メッセージに対する応答である患者メッセージの入力を受け付け、入力された患者メッセージをメッセージ管理装置１に送信する。このように、メッセージ管理システムＳを利用することで、患者端末２を利用する患者は、メッセージ管理装置１との間でメッセージを送受信することによるチャットをすることができる。
【００２３】
メッセージ管理装置１は、複数の患者端末２との間でメッセージを送受信することができる。メッセージ管理装置１は、複数の患者端末２に送信した複数の指示メッセージと、複数の患者端末２から受信する複数の患者メッセージとの関係に基づいて、どのような指示メッセージを送信すると患者のメンタル状態の改善に有効であるかを分析することができる。メッセージ管理装置１は、このような分析の結果と患者の状態とに基づいて、患者のメンタル状態の改善に効果的な指示メッセージを送信することができる。
【００２４】
本実施形態においては、メッセージ管理装置１が、ネットワークを介して、管理端末３、医師端末４、診療データサーバ５及び家族端末６にも接続されている。
管理端末３は、メッセージ管理装置１を使用したサービスを提供する会社（以下、サービス提供者という）のコンピュータ等の情報機器である。サービス提供者は、管理端末３を介して、患者の属性や患者の精神疾患の状態をメッセージ管理装置１に設定することができる。
【００２５】
また、サービス提供者は、管理端末３に入力した指示メッセージを、メッセージ管理装置１を介して患者端末２に送信することもできる。メッセージ管理装置１は、例えば、患者の状態に基づいて、内部に記憶している指示メッセージを患者端末２に送信するか、管理端末３から入力された指示メッセージを患者端末２に送信するかを切り替えることができる。
【００２６】
医師端末４は、医師が使用するコンピュータである。医師端末４は、医師が入力した患者の診断結果をメッセージ管理装置１に送信する。また、医師端末４は、メッセージ管理装置１から送信される患者の状態を示す状態情報を受信して表示する。医師は、表示された状態情報を確認することにより、指示メッセージが送信されたことで患者の状態がどのように変化したかを把握することができる。
【００２７】
診療データサーバ５は、病院に設けられた診察データを管理するサーバである。メッセージ管理装置１は、診療データサーバ５に記憶されている患者の診察データに基づいて、ユーザの初期状態を特定することができる。
【００２８】
家族端末６は、患者の家族が使用するコンピュータである。家族端末６は、家族が入力した患者の生活実態（自宅での言動の内容等）を示す生活実態情報をメッセージ管理装置１に送信する。また、家族端末６は、メッセージ管理装置１から送信される状態情報を受信して表示する。
以下、メッセージ管理装置１の詳細について説明する。
【００２９】
［メッセージ管理装置１の構成］
図２は、メッセージ管理装置１の構成を示す図である。メッセージ管理装置１は、通信部１１と、記憶部１２と、制御部１３とを有する。
通信部１１は、ネットワークを介して患者端末２、管理端末３、医師端末４、診療データサーバ５及び家族端末６等の外部機器と通信するための通信インタフェースである。通信部１１は、例えばＬＡＮ（Local Area Network）コントローラを含んでおり、外部機器から受信したデータを制御部１３に入力し、制御部１３から入力されたデータを外部機器に送信する。
【００３０】
記憶部１２は、ＲＯＭ（Read Only Memory）、ＲＡＭ（Random Access Memory）及びハードディスク等の記憶媒体を含んでいる。記憶部１２は、制御部１３が実行するプログラムを記憶している。また、記憶部１２は、メッセージ管理装置１が患者端末２から受信した患者メッセージを記憶する。
さらに、記憶部１２は、メッセージデータベース１２１（以下、メッセージＤＢ１２１という）、キャラクターデータベース１２２（以下、キャラクターＤＢ１２２という）及び患者データベース１２３（患者ＤＢ１２３という）を記憶している。
【００３１】
メッセージＤＢ１２１は、患者が使用する端末に送信するメッセージの候補である複数の指示メッセージ候補を、患者の状態種別に関連付けたデータベースである。メッセージＤＢ１２１は、例えば、患者が服用する薬の種別ごとに、状態種別と指示メッセージとを関連付けたデータベースを有しており、患者に最適な指示メッセージを送信するために用いられる。状態種別は、患者の症状のレベルを示す番号（以下、状態種別番号という）により表される。例えば、認知症の患者の場合、「日常生活ではほぼ自律している状態」、「誰かが監視していれば自律できる状態」、「日中は介護が必要な状態」、「夜間にも介護が必要な状態」、「常に介護が必要な状態」、「専門医療が必要な状態」等の種別に分類される。
【００３２】
図３は、メッセージＤＢ１２１の一例を示す図である。図３に示すように、メッセージＤＢ１２１においては、状態種別番号と指示メッセージとが関連付けられている。指示メッセージには、各種の目的があり、例えば、「薬を飲む時間だよ」、「病院に行こうよ」のように、治療に直接的に関連する行為を促すメッセージ、「○○に行って写真を撮ってきて」、「将棋ゲームで勝ってみて」のように、症状の改善につながる可能性がある活動を促す課題を提供するメッセージ、「○○について教えて」、「子供の頃の話を聞かせて」のように、症状の改善につながる可能性がある思考を促す課題を提供するメッセージ等が含まれている。指示メッセージ内容は、送信した指示メッセージに対して返信される患者メッセージの内容を解析した結果に基づいて、定期的に更新される。
【００３３】
なお、メッセージＤＢ１２１に記憶される指示メッセージは、制御部１３がプログラムを実行することにより実現されるボットやＡＩ（Artificial Intelligence）を用いて生成するものであってもよい。ボットやＡＩは、患者端末２から患者メッセージを受信したことに応じて、新規に指示メッセージを作成してメッセージＤＢ１２１に格納したり、メッセージＤＢ１２１に格納された指示メッセージに基づいて、患者端末２に合わせた口調に変更したりすることができる。
【００３４】
キャラクターＤＢ１２２は、メッセージ管理装置１が患者端末２に送信する指示メッセージに付随して送信されるキャラクター画像を記憶しているデータベースである。
図４は、キャラクターＤＢ１２２の一例を示す図である。キャラクターＤＢ１２２においては、患者にメッセージを送信するキャラクターごとに、当該キャラクターの顔画像に関する情報、及びキャラクター属性に関する情報が関連付けられている。なお、キャラクター属性は、例えば、キャラクターの名前、性別及び年齢に加えて、性格種別を含んでいる。キャラクター属性は、患者がキャラクターを選択する際に表示される、キャラクターの仮想的な趣味、職業等のプロフィールを含んでもよい。
【００３５】
また、顔画像は、二次元又は三次元の仮想的なキャラクターの顔の静止画又は動画であり、それぞれのキャラクターには様々なバリエーションの顔画像が設けられている。メッセージ管理装置１は、指示メッセージを送信する際に、患者の状態や指示メッセージの内容に応じて異なる表情のキャラクター画像を送信することができる。
【００３６】
患者ＤＢ１２３は、ユーザＩＤに関連付けてユーザの状態が記憶されており、患者の状態の特定に用いられる。
図５は、患者ＤＢ１２３の一例を示す図である。患者ＤＢ１２３においては、患者名、患者の性別や年齢等の属性、患者が服用している薬、患者の状態、患者が選択したキャラクター等が関連付けられている。患者の状態は、患者メッセージを解析した結果に基づいて更新される。
【００３７】
続いて、図２に戻って、制御部１３の構成について説明する。制御部１３は、例えばＣＰＵ（Central Processing Unit）であり、記憶部１２に記憶されたプログラムを実行することにより、受信部１３１、特定部１３２、選択部１３３、送信部１３４、出力部１３５及び決定部１３６として機能する。
【００３８】
受信部１３１は、患者端末２を介して患者が送信した患者メッセージを受信する。受信部１３１は、受信したメッセージを記憶部１２に記憶させる。また、受信部１３１は、受信した患者メッセージを特定部１３２及び決定部１３６に入力する。
【００３９】
特定部１３２は、受信部１３１から入力された患者メッセージに基づいて、患者端末２を使用する患者の状態を特定する。特定部１３２は、例えば、送信部１３４が送信した指示メッセージの内容と、指示メッセージに対する応答として受信部１３１が受信した患者メッセージの内容とに基づいて、患者の状態を特定する。
【００４０】
具体的には、特定部１３２は、受信部１３１から入力された患者メッセージを患者端末２が送信する直前に送信部１３４が送信した指示メッセージの内容と、指示メッセージに対して送信された患者メッセージの内容とに基づいて、患者の状態を特定する。特定部１３２は、患者メッセージの内容が、指示メッセージの内容に対して適切である場合に、患者の状態が良好であると判定し、指示メッセージの内容に対して適切でない場合に、患者の状態が良好でないと判定する。特定部１３２は、患者メッセージに含まれているキーワードや口調に基づいて、患者の状態を特定してもよい。
【００４１】
また、特定部１３２は、受信部１３１が過去に受信した複数の患者メッセージの変化に基づいて、患者の状態を特定してもよい。特定部１３２は、例えば、過去に送信部１３４が送信した指示メッセージに対する患者メッセージの内容と、直近に送信部１３４が送信した同一の指示メッセージに対する患者メッセージの内容との違いに基づいて、患者の状態の変化を特定する。患者メッセージの内容が、指示メッセージの内容に対して不適切な度合いが強まっている場合、特定部１３２は、患者の状態が悪化していると特定することができる。
【００４２】
特定部１３２は、受信部１３１が患者メッセージを受信するタイミングにさらに基づいて、患者の状態を特定してもよい。特定部１３２は、例えば、送信部１３４が指示メッセージを送信してから所定の時間以内に受信部１３１が患者メッセージを受信した場合は、患者の状態が良好であると特定し、指示メッセージを送信してから所定の時間が経過した後に受信部１３１が患者メッセージを受信した場合、患者の状態が良好でないと特定する。
【００４３】
さらに、特定部１３２は、医師端末４、診療データサーバ５及び家族端末６から受信した情報に基づいて、患者の状態を特定してもよい。特定部１３２は、例えば、受信部１３１が患者メッセージを受信していない状態においては、医師端末４、診療データサーバ５及び家族端末６から受信した情報のみを用いて患者の状態を特定し、受信部１３１が患者メッセージを受信した後には、医師端末４、診療データサーバ５及び家族端末６から受信した情報とともに患者メッセージを用いて患者の状態を特定する。
【００４４】
選択部１３３は、メッセージＤＢ１２１に記憶されている複数の指示メッセージ候補から、特定部１３２が特定した患者の状態に対応する状態種別に関連付けられた指示メッセージを選択する。具体的には、選択部１３３は、特定部１３２が特定した患者の状態に対応する状態種別番号をメッセージＤＢ１２１に入力し、入力した状態種別番号に対応する指示メッセージを取得することにより、指示メッセージを選択する。
【００４５】
送信部１３４は、選択部１３３が選択した指示メッセージを患者端末２に送信する。この際、送信部１３４は、患者ＤＢ１２３を参照して、指示メッセージを送信する患者端末２の患者に対応するキャラクター種別を特定し、特定したキャラクター種別に対応するキャラクター画像をキャラクターＤＢ１２２から読み出す。送信部１３４は、読み出したキャラクター画像とともに、指示メッセージを送信する。
【００４６】
図６は、患者端末２に表示される指示メッセージと患者メッセージのやり取りの様子を示す図である。図６は、選択部１３３が、患者が薬を服用する必要がある状態において、薬を服用する必要があるという状態種別に関連付けられた指示メッセージを選択した場合のメッセージのやり取りを示している。図６に示すように、患者が愛着を持っているキャラクターが話しているかのように指示メッセージが送信されるので、医師や家族から指示される場合に比べて、患者が反発心を抱きにくくなる。その結果、患者が、指示メッセージに沿った行動をしてくれることで、リハビリ効果を高めることができる。
【００４７】
図６（ａ）は、薬を飲むことを促す指示メッセージに対して、適切な内容の患者メッセージが送信されている。このような場合には、特定部１３２は、患者が良好な状態であると判定する。
【００４８】
図６（ｂ）においては、薬を飲むことを促す指示メッセージに対して、反抗的な内容の患者メッセージが送信されている。このような場合には、特定部１３２は、患者の状態が少し悪いと判定する。図６（ｂ）において、送信部１３４は、反抗的な内容の患者メッセージが受信されたことに応じて、キャラクターの表情を変化させている。このように、送信部１３４は、患者に関連付けられたキャラクター画像を、指示メッセージの内容、患者メッセージの内容又は患者の状態に応じて変化させて、指示メッセージとともに患者端末２に送信する。送信部１３４は、指示メッセージの内容、指示メッセージに対して返信された患者メッセージの内容又は患者の状態に基づいてキャラクター画像の表情を変化させることで、メッセージを用いたコミュニケーションの質を高めることができる。
【００４９】
図６（ｃ）においては、薬を飲むことを促す指示メッセージに対して、見当違いの患者メッセージが送信されている。このような場合には、特定部１３２は、患者が良好な状態でないと判定する。
【００５０】
図２に戻って、出力部１３５は、管理端末３、医師端末４、診療データサーバ５及び家族端末６等の外部装置に情報を出力する。出力部１３５は、例えば、送信部１３４が送信した指示メッセージの内容と、特定部１３２が特定した患者の状態の変化内容とを関連付けて出力する。例えば、医師が、指示メッセージの内容と患者の状態の変化内容を確認することで、どのような指示メッセージを送信することが治療に効果的であるかを把握したり、患者の治療方針を決定する際の参考にしたりすることができる。
【００５１】
また、医師は、出力部１３５が出力した情報に基づいて患者の状態を把握した結果に基づいて、患者の状態を特定し直すこともできる。この場合、医師は、医師端末４を介して、メッセージ管理装置１に、患者の状態を特定するための情報を送信する。このようにすることで、特定部１３２は、医師端末４から受信した情報に基づいて患者の状態の特定精度を向上させることができる。
【００５２】
決定部１３６は、受信部１３１が複数の患者端末２から受信した複数の患者メッセージに基づいて、状態種別ごとに、患者の状態の改善に有効な指示メッセージの内容を決定する。具体的には、決定部１３６は、状態種別ごとに、患者端末２に送信した複数の指示メッセージの内容と、送信した複数の指示メッセージに対する応答である複数の患者メッセージの内容との関係を分析し、それぞれの状態種別において、患者の状態の改善に効果がある指示メッセージを決定する。
【００５３】
決定部１３６は、決定した指示メッセージを、状態種別に対応する指示メッセージ候補とするようにメッセージＤＢ１２１を更新する。決定部１３６は、効果的な指示メッセージを、その状態種別における指示メッセージ候補の優先順位を高くしたり、効果がない指示メッセージを削除することによりメッセージＤＢ１２１を作成したり更新したりしてもよい。
【００５４】
決定部１３６は、さらに、キャラクターの種別ごとに、患者端末２に送信した複数の指示メッセージの内容と、送信した複数の指示メッセージに対する応答である複数の患者メッセージの内容との関係を分析し、患者の状態の改善に効果があるキャラクター画像を決定してもよい。
【００５５】
また、決定部１３６は、受信部１３１が受信した患者メッセージを送信した患者端末２に対応する患者が服用している服用薬の種別と、患者メッセージとに基づいて、服用薬の種別ごとに、患者の状態の改善に有効な指示メッセージの内容を決定してもよい。決定部１３６は、決定した指示メッセージの内容に基づいて、服用薬の種別に対応するメッセージＤＢ１２１を更新する。
【００５６】
［メッセージ送受信の動作］
図７は、指示メッセージと患者メッセージの送受信動作のシーケンス図である。
まず、メッセージ管理装置１においては、特定部１３２が患者の状態を特定する（Ｓ１１）。続いて、選択部１３３が、患者の状態に基づいて、送信する指示メッセージを選択する（Ｓ１２）。そして、送信部１３４は、選択された指示メッセージを送信する（Ｓ１３）。
【００５７】
患者端末２は、指示メッセージを受信すると、受信した指示メッセージをディスプレイに表示する（Ｓ２１）。続いて、患者端末２は、表示した指示メッセージに対する患者の応答としての患者メッセージを受け付ける（Ｓ２２）。患者端末２は、受け付けた患者メッセージをメッセージ管理装置１に送信する（Ｓ２３）。
【００５８】
メッセージ管理装置１においては、受信部１３１が患者メッセージを受信すると、受信した患者メッセージを記憶部１２に記憶させる（Ｓ１４）。その後、特定部１３２は、患者メッセージに基づいて患者の状態を分析し（Ｓ１５）、分析した結果に基づいて特定した患者の状態を記憶部１２に記憶させる（Ｓ１６）。
【００５９】
［指示メッセージを送信する動作のフローチャート］
図８は、メッセージ管理装置１が指示メッセージを送信する動作のフローチャートである。
まず、特定部１３２は、医師端末４、診療データサーバ５及び家族端末６等の外部から受信した患者に関する外部情報があるかどうかを判定する（Ｓ３１）。特定部１３２は、患者に関する外部情報がある場合（Ｓ３１においてＹＥＳ）、外部情報に基づいて患者の状態を特定する（Ｓ３２）。特定部１３２は、外部情報がない場合（Ｓ３１においてＮＯ）、患者には精神疾患がないと特定する（Ｓ３３）。
【００６０】
続いて、選択部１３３は、ステップＳ３２又はＳ３３において特定部１３２が特定した患者の状態に対応する指示メッセージを選択する（Ｓ３４）。送信部１３４は、選択部１３３が選択した指示メッセージを患者端末２に送信する（Ｓ３５）。
【００６１】
続いて、受信部１３１が患者メッセージを受信すると（Ｓ３６）、決定部１３６は、患者メッセージを分析して（Ｓ３７）、分析した結果に基づいて、患者ＤＢ１２３内のユーザの状態情報を更新したり、メッセージＤＢ１２１を更新したりする（Ｓ３８）。また、出力部１３５は、医師端末４及び家族端末６に状態情報を送信することにより、医師や家族に患者の状態を通知する（Ｓ３９）。
【００６２】
［変形例１］
上記の説明においては、選択部１３３が、メッセージＤＢ１２１に記憶されている指示メッセージ候補から指示メッセージを選択する例を示したが、選択部１３３は、他の指示メッセージを選択してもよい。選択部１３３は、メッセージＤＢ１２１に記憶された複数のメッセージ候補から指示メッセージを選択するか、外部端末から入力された指示メッセージを選択するかを切り替えてもよい。
【００６３】
例えば、選択部１３３は、メッセージ管理装置１が患者端末２との間でメッセージの送受信をしている間に、特定部１３２が特定した患者の状態に基づいて、患者の状態が所定のレベルよりも悪い場合に、管理端末３に対して指示メッセージを作成するように通知し、管理端末３において作成された指示メッセージを選択して送信部１３４に通知する。ただし、選択部１３３は、所定の時間帯に限定して、管理端末３において作成された指示メッセージを選択するものとしてもよい。例えば、管理端末３において指示メッセージを作成するスタッフが不在の時間帯（例えば夜間）は、患者の状態によらず、メッセージＤＢ１２１に記憶された指示メッセージ候補から指示メッセージを選択するものとする。
【００６４】
なお、選択部１３３は、患者の状態以外の他の条件に基づいて、メッセージＤＢ１２１に記憶された指示メッセージを選択するか外部端末から入力された指示メッセージを選択するかを切り替えてもよい。例えば、選択部１３３は、管理端末３を操作するスタッフの指示に基づいて切り替えてもよい。
【００６５】
また、選択部１３３は、過去の指示メッセージ及び患者メッセージの送受信記録と患者の状態の変化の記録を参照し、過去の記録と、送信部１３４が送信した指示メッセージ及び受信部１３１が受信した患者メッセージの内容とを比較して、患者の状態が悪化する可能性が高い場合に、外部端末から入力された指示メッセージを使用するように切り替えてもよい。
【００６６】
また、選択部１３３は、予め定められたキーワードが患者メッセージに含まれていた場合に、メッセージＤＢ１２１に記憶された指示メッセージを使用せず、外部端末から入力された指示メッセージを使用するように切り替えてもよい。
【００６７】
なお、制御部１３は、受信部１３１が、質問を含む患者メッセージを受信した場合、管理端末３に対して指示メッセージの作成を要求するとともに、インターネットにおいて患者の質問に対する回答を検索してもよい。そして、制御部１３は、検索によって回答を見つけた場合に、指示メッセージの作成を要求した管理端末３に対して、回答を取得したことを通知したり、回答の内容を通知したりしてもよい。このようにすることで、管理端末３を使用する人が、質問に対する回答を含む指示メッセージを作成するための時間を短縮することができる。
【００６８】
［変形例２］
上記の説明においては、患者が入力したテキストを含む患者メッセージが用いられる例を示したが、文字入力が困難な患者の状態を把握できるようにするために、他の手段で患者メッセージを作成できるようにしてもよい。
【００６９】
図９は、変形例２における指示メッセージと患者メッセージの患者端末２における表示例を示す図である。図９においては、指示メッセージ表示領域５１、メッセージ入力欄５２、感情入力ボタン５３、患者メッセージ入力領域５４及び送信ボタン５５が示されている。
【００７０】
指示メッセージ表示領域５１は、メッセージ管理装置１から送信された指示メッセージを表示する領域である。図９においては、キャラクター画像とともに、患者に見せたい画像のリンク先を示す指示メッセージが表示されている。
【００７１】
メッセージ入力欄５２は、患者がメッセージを入力する際に使用する欄である。図９（ａ）の状態で患者がメッセージ入力欄５２をタップすると、図５（ｂ）に示すように、患者メッセージ入力領域５４に、テキストを入力するための画面が表示される。患者が、患者メッセージ入力領域５４を操作してテキストを入力すると、入力されたテキストがメッセージ入力欄５２に表示される。
【００７２】
感情入力ボタン５３は、患者が感情を入力するための操作をするボタンである。図９（ａ）の状態で患者が感情入力ボタン５３をタップすると、図９（ｃ）に示すように、感情を示す単語が患者メッセージ入力領域５４に表示されるとともに、リンク先の画像が指示メッセージ表示領域５１に表示される。感情を示す単語は、指示メッセージの一部としてメッセージ管理装置１から送信される。
【００７３】
メッセージ管理装置１の選択部１３３は、例えば、感情を示す単語の候補から、患者の状態に基づいて選択した単語を選択し、送信部１３４が、選択された単語を指示メッセージの一部として送信する。選択部１３３は、患者の状態に基づいて、感情を示す単語の表示順序を決定し、送信部１３４は、表示順序を指定するための情報を患者端末２に送信してもよい。このように、選択部１３３が、感情を示す単語を患者の状態に基づいて感情を示す単語を選択したり、表示順序を決定したりすることにより、患者の状態の確認に有効な単語を適切な順序で患者端末２に表示させることが可能になる。
【００７４】
図９（ｃ）においては、画像を見た患者が、「安心」という単語を選択した状態が示されている。この状態で患者が送信ボタン５５を押すと、「安心」という感情を抱いたことを示す患者メッセージがメッセージ管理装置１に送信される。
【００７５】
このように、患者端末２が、患者の感情を示す単語を表示させ、患者が選択した単語を特定するための情報を含む患者メッセージをメッセージ管理装置１に送信することにより、メッセージ管理装置１は、文字入力が困難な患者の状態も的確に特定することが可能になる。
【００７６】
なお、患者端末２は、感情入力ボタン５３がタップされた際に、感情を示す単語の代わりに、又は感情を示す単語とともに、アイコンや顔文字等のように感情を表現することができる単語以外の情報を患者メッセージ入力領域５４に表示させてもよい。このようにすることで、単語を用いる場合に比べて、患者が微妙な感情を伝えやすくなる。
【００７７】
また、送信部１３４は、患者端末２において患者が選択した感情に基づいて、指示メッセージとともに送信されるキャラクター画像を変化させ、所定の時間が経過すると、元の画像に戻してもよい。このようにすることで、患者は、キャラクターが実在の人物であるかのような印象を抱きやすくなるので、さらにコミュニケーションの質を高めることができる。
【００７８】
また、患者端末２は、患者メッセージ入力領域に、指示メッセージに対する回答の選択肢を表示し、患者が選択した選択肢を特定するための情報をメッセージ管理装置１に送信してもよい。例えば、指示メッセージが医師からの「最近食欲はありますか？」という質問を含んでいる場合、メッセージ管理装置１は、質問に対する回答の選択肢も指示メッセージとともに送信する。そして、患者端末２には、例えば、「（１）沢山食べています、（２）食欲があまりありません、（３）食べたいのですが、なぜか食べられません」のような選択肢が表示される。患者端末２が、患者が選択した選択肢を特定する情報をメッセージ管理装置１に送信することで、メッセージ管理装置１を介して、医師は、患者の状態を把握することが可能になる。
【００７９】
［変形例３］
以上の説明においては、指示メッセージ及び患者メッセージがテキストメッセージである例を示したが、指示メッセージ及び患者メッセージが、テキスト以外のメディアであってもよい。例えば、指示メッセージ及び患者メッセージが音声を含んでいてもよい。
また、メッセージ管理装置１は、管理端末３から音声メッセージの入力を受け、入力された音声メッセージをテキストに変換することにより指示メッセージを作成してもよい。また、メッセージ管理装置１は、管理端末３から入力された音声メッセージを、そのまま患者端末２に送信し、患者端末２が音声を出力することにより、患者が音声メッセージを聞くことができるようにしてもよい。
【００８０】
［本実施形態のメッセージ管理システムＳによる効果］
以上説明したように、本実施形態のメッセージ管理システムＳにおいては、メッセージ管理装置１が、医師から提供される患者に関する情報や患者端末２から送信される患者メッセージを受信した結果に基づいて、患者の状態を特定する。そして、メッセージ管理装置１は、特定した患者の状態に基づいて、複数の指示メッセージ候補から、患者の状態に関連付けられた指示メッセージを選択して送信する。このようにすることで、メッセージ管理装置１は、患者端末２の患者の状態に基づいて、患者の症状の改善に効果的な指示メッセージを送信することができる。
【００８１】
そして、メッセージ管理装置１は、患者端末２により選択されたキャラクター画像とともに指示メッセージを送信するので、患者は、家族や友人が近くにいない時でもコミュニケーションをする機会を得ることができる。このようなコミュニケーションは、精神疾患患者やメンタルケアが必要な人の状態を改善するために有効であり、精神疾患を患う可能性を低減することもできる。その結果、医療費を抑制することにもつながると考えられる。
【００８２】
また、メッセージ管理装置１においては、メッセージ管理装置１が多数の患者端末２と送受信したメッセージの履歴に基づいて、患者の状態を改善するためにどのような指示メッセージを送信することが有効であるかを分析することができる。メッセージ管理装置１がこのような学習を繰り返すことにより、指示メッセージをより効果的な内容にすることができる。
【００８３】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００８４】
１  メッセージ管理装置
２  患者端末
３  管理端末
４  医師端末
５  診療データサーバ
６  家族端末
１１  通信部
１２  記憶部
１３  制御部
１２１  メッセージＤＢ
１２２  キャラクターＤＢ
１２３  患者ＤＢ
１３１  受信部
１３２  特定部
１３３  選択部
１３４  送信部
１３５  出力部
１３６  決定部
【図１】
2017187914.tif 000003
【図２】
2017187914.tif 000004
【図３】
2017187914.tif 000005
【図４】
2017187914.tif 000006
【図５】
2017187914.tif 000007
【図６】
2017187914.tif 000008
【図７】
2017187914.tif 000009
【図８】
2017187914.tif 000010
【図９】
2017187914.tif 000011
【手続補正書】
【提出日】平成28年8月15日(2016.8.15)
【手続補正１】
【補正対象書類名】特許請求の範囲
【補正対象項目名】全文
【補正方法】変更
【補正の内容】
【特許請求の範囲】
【請求項１】
患者が使用する端末に送信するメッセージの候補である複数の指示メッセージ候補を、患者の状態種別に関連付けて記憶するとともに、前記患者に関連付けて、前記患者が使用する端末に表示された属性に基づいて前記患者が選択したキャラクター画像を記憶する記憶部と、
前記端末から送信される患者メッセージを受信する受信部と、
前記受信部が受信した前記患者メッセージの内容に基づいて、前記患者の状態を特定する特定部と、
前記複数の指示メッセージ候補から、前記特定部が特定した前記患者の状態に対応する前記状態種別に関連付けられた指示メッセージを選択する選択部と、
前記指示メッセージの内容、前記患者メッセージの内容、又は患者の状態に対応する、前記患者に関連付けられた前記キャラクター画像を、前記選択部が選択した前記指示メッセージとともに前記端末に送信する送信部と、
を有するメッセージ管理装置。
【請求項２】
患者が使用する端末から送信される患者メッセージを受信する受信部と、
前記端末に送信するメッセージの候補である複数の指示メッセージ候補を、患者の状態種別に関連付けて記憶するとともに、前記患者の端末から送信された複数の前記患者メッセージを記憶する記憶部と、
前記患者の状態を特定する特定部と、
前記複数の指示メッセージ候補から、前記特定部が特定した前記患者の状態に対応する前記状態種別に関連付けられた指示メッセージを選択する選択部と、
前記選択部が選択した前記指示メッセージを前記端末に送信する送信部と、
を有し、
前記特定部は、前記送信部が送信した、前記指示メッセージの送信者が前記患者と会話形式でメッセージを送受信するために作成された前記指示メッセージの内容と、前記指示メッセージに対する会話形式による応答として前記受信部が過去に受信した前記患者メッセージの変化に基づいて、前記患者の状態を特定するメッセージ管理装置。
【請求項３】
前記選択部は、前記患者が薬を服用する必要がある場合に、前記薬を服用する必要があるという前記状態種別に関連付けられた前記指示メッセージを選択する、
請求項１又は２に記載のメッセージ管理装置。
【請求項４】
前記受信部が複数の前記端末から受信した複数の前記患者メッセージに基づいて、前記状態種別ごとに、前記患者の状態の改善に有効な前記指示メッセージの内容を決定する決定部をさらに有する、
請求項１から３のいずれか１項に記載のメッセージ管理装置。
【請求項５】
前記記憶部は、前記患者と、前記患者が服用している服用薬の種別とを関連付けて記憶し、
前記決定部は、前記受信部が受信した前記患者メッセージを送信した前記端末に対応する前記患者が服用している前記服用薬の種別と、前記患者メッセージとに基づいて、前記服用薬の種別ごとに、前記患者の状態の改善に有効な前記指示メッセージの内容を決定する、
請求項４に記載のメッセージ管理装置。
【請求項６】
前記選択部は、前記特定部が特定した前記患者の状態に基づいて、前記記憶部に記憶された前記複数のメッセージ候補から前記指示メッセージを選択するか、外部端末から入力された指示メッセージを選択するかを切り替える、
請求項１から５のいずれか１項に記載のメッセージ管理装置。
【請求項７】
外部装置に情報を出力する出力部をさらに有し、
前記記憶部は、前記特定部が特定した前記患者の状態を記憶し、
前記特定部は、前記記憶部が記憶する過去の複数の前記患者の状態に基づいて、前記患者の状態の変化内容を特定し、
前記出力部は、前記送信部が送信した前記指示メッセージの内容と、前記患者の状態の変化内容とを関連付けて出力する、
請求項１から６のいずれか１項に記載のメッセージ管理装置。
【請求項８】
患者が使用する端末に送信するメッセージを管理する方法であって、
前記端末から患者メッセージを受信するステップと、
前記患者メッセージに基づいて、前記患者の状態を特定するステップと、
患者の状態種別に関連付けて記憶部に記憶された、患者が使用する端末に送信するメッセージの候補である複数の指示メッセージ候補から、特定した前記患者の状態に対応する前記状態種別に関連付けられた指示メッセージを選択するステップと、
前記指示メッセージの内容、前記患者メッセージの内容又は患者の状態に対応する、前記患者に関連付けられたキャラクター画像であって前記患者が使用する端末に表示された属性に基づいて前記患者が選択したキャラクター画像を、選択した前記指示メッセージとともに前記端末に送信するステップと、
を有するメッセージ管理方法。
【請求項９】
患者が使用する端末に送信するメッセージを管理する方法であって、
前記端末から患者メッセージを受信するステップと、
前記端末に、患者にメッセージを送信する送信者が前記患者と会話形式でメッセージを送受信するために作成された指示メッセージを送信するステップと、
送信した前記指示メッセージの内容と、前記指示メッセージに対する会話形式による応答として過去に受信した前記患者メッセージの変化に基づいて、前記患者の状態を特定するステップと、
患者の状態種別に関連付けて記憶部に記憶された、患者が使用する端末に送信するメッセージの候補である複数の指示メッセージ候補から、特定した前記患者の状態に対応する前記状態種別に関連付けられた指示メッセージを選択するステップと、
選択した前記指示メッセージを前記端末に送信するステップと、
を有するメッセージ管理方法。
【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
患者が使用する端末から送信される患者メッセージを受信する受信部と、
前記端末に送信するメッセージの候補である複数の指示メッセージ候補を、患者の状態種別に関連付けて記憶するとともに、前記患者の端末から送信された複数の前記患者メッセージを記憶する記憶部と、
前記患者の状態を特定する特定部と、
前記複数の指示メッセージ候補から、前記特定部が特定した前記患者の状態に対応する前記状態種別に関連付けられた指示メッセージを選択する選択部と、
前記選択部が選択した前記指示メッセージを前記端末に送信する送信部と、
を有し、
前記特定部は、前記送信部が過去に送信した、前記指示メッセージの送信者が前記患者と会話形式でメッセージを送受信するために作成された前記指示メッセージに対する会話形式による応答として前記受信部が過去に受信した前記患者メッセージの内容と、前記送信部が直近に送信した、過去に送信した前記指示メッセージと同等の指示メッセージに対する会話形式による応答として前記受信部が受信した前記患者メッセージの内容との違いに基づいて、前記患者の状態の変化を特定するメッセージ管理装置。
【請求項２】
前記選択部は、過去の前記指示メッセージ及び前記患者メッセージの送受信記録と前記患者の状態の変化の記録を参照し、過去の前記送受信記録と、前記送信部が送信した前記指示メッセージ及び前記受信部が受信した前記患者メッセージの内容とを比較して、前記患者の状態が悪化する可能性が高い場合に、外部端末から入力された指示メッセージを選択する、
請求項１に記載のメッセージ管理装置。
【請求項３】
前記選択部は、前記患者が薬を服用する必要がある場合に、前記薬を服用する必要があるという前記状態種別に関連付けられた前記指示メッセージを選択する、
請求項１又は２に記載のメッセージ管理装置。
【請求項４】
前記受信部が複数の前記端末から受信した複数の前記患者メッセージに基づいて、前記状態種別ごとに、前記患者の状態の改善に有効な前記指示メッセージの内容を決定する決定部をさらに有する、
請求項１から３のいずれか１項に記載のメッセージ管理装置。
【請求項５】
前記記憶部は、前記患者と、前記患者が服用している服用薬の種別とを関連付けて記憶し、
前記決定部は、前記受信部が受信した前記患者メッセージを送信した前記端末に対応する前記患者が服用している前記服用薬の種別と、前記患者メッセージとに基づいて、前記服用薬の種別ごとに、前記患者の状態の改善に有効な前記指示メッセージの内容を決定する、
請求項４に記載のメッセージ管理装置。
【請求項６】
前記選択部は、前記特定部が特定した前記患者の状態に基づいて、前記記憶部に記憶された前記複数のメッセージ候補から前記指示メッセージを選択するか、外部端末から入力された指示メッセージを選択するかを切り替える、
請求項１から５のいずれか１項に記載のメッセージ管理装置。
【請求項７】
外部装置に情報を出力する出力部をさらに有し、
前記記憶部は、前記特定部が特定した前記患者の状態を記憶し、
前記特定部は、前記記憶部が記憶する過去の複数の前記患者の状態に基づいて、前記患者の状態の変化内容を特定し、
前記出力部は、前記送信部が送信した前記指示メッセージの内容と、前記患者の状態の変化内容とを関連付けて出力する、
請求項１から６のいずれか１項に記載のメッセージ管理装置。
【請求項８】
患者が使用する端末に送信するメッセージを管理する方法であって、
前記端末から患者メッセージを受信するステップと、
前記端末に、患者にメッセージを送信する送信者が前記患者と会話形式でメッセージを送受信するために作成された指示メッセージを送信するステップと、
過去に送信した前記指示メッセージに対する会話形式による応答として過去に受信した前記患者メッセージの内容と、直近に送信した、過去に送信した前記指示メッセージと同等の指示メッセージに対する会話形式による応答として受信した前記患者メッセージの内容との違いに基づいて、前記患者の状態の変化を特定するステップと、
患者の状態種別に関連付けて記憶部に記憶された、患者が使用する端末に送信するメッセージの候補である複数の指示メッセージ候補から、特定した前記患者の状態に対応する前記状態種別に関連付けられた指示メッセージを選択するステップと、
選択した前記指示メッセージを前記端末に送信するステップと、
を有するメッセージ管理方法。